(57)【要約】【課題】余剰のたばこ自動販売機を利用したマスクの自動販売機および自動販売機によるマスクの販売方法の提供。【解決手段】たばこ箱の大きさの箱であり、マスク２を折り畳んで詰め込んだ箱１を商品としたマスク２の自動販売機である。マスク２を折り畳んで詰め込んだ箱１は、たばこ箱の大きさの箱であるため、この箱１をたばこ自動販売機によりそのまま販売することが可能であり、余剰なたばこ自動販売機を有効活用することが可能である。【選択図】図１
2011215754.tif 000002
【特許請求の範囲】
【請求項１】
たばこ箱の大きさの箱であり、マスクを折り畳んで詰め込んだ箱を商品としたマスクの自動販売機。
【請求項２】
前記マスクは広げた状態で密封包装されたものである請求項１記載のマスクの自動販売機。
【請求項３】
前記箱内に重量調整手段を有する請求項１または２に記載のマスクの自動販売機。
【請求項４】
前記マスクは３つ折りにして前記箱に詰め込んだものである請求項１から３のいずれかに記載のマスクの自動販売機。
【請求項５】
たばこ箱の大きさの箱であり、マスクを折り畳んで詰め込んだ箱を商品とする自動販売機によるマスクの販売方法。
【発明の詳細な説明】
【技術分野】
【０００１】
本発明は、鼻や口部分を衛生目的または防護目的で覆う衛生用マスクや作業用マスク等のマスクの自動販売機および自動販売機によるマスクの販売方法に関する。
【背景技術】
【０００２】
従来、自動販売機は、缶、ビンやペットボトル等に入った清涼飲料水や、たばこやアイスクリーム等の商品を各コラムに陳列し、購入者の指定する商品を、その品代としての貨幣の投入と同時に取り出し口に排出するものである（例えば、特許文献１参照。）。ところで、たばこの自動販売機に関しては、未成年者の喫煙防止の取り組みにより、２００８年７月よりＩＣカード方式成人識別たばこ自動販売機が稼働し、対応自動販売機への入れ替えが行われた。
【先行技術文献】
【特許文献】
【０００３】
【特許文献１】特開２００６−３０９４２６号公報（段落０００２）
【特許文献２】特開２００３−１０９０７６号公報（段落０００２）
【発明の概要】
【発明が解決しようとする課題】
【０００４】
前述のようにＩＣカード方式成人識別たばこ自動販売機への入れ替えにより、従来型のたばこ自動販売機が余剰している。そこで、本発明においては、この余剰のたばこ自動販売機を利用したマスクの自動販売機および自動販売機によるマスクの販売方法を提供することを目的とする。
【課題を解決するための手段】
【０００５】
本発明のマスクの自動販売機は、たばこ箱の大きさの箱であり、マスクを折り畳んで詰め込んだ箱を商品としたものである。また、本発明の自動販売機によるマスクの販売方法は、たばこ箱の大きさの箱であり、マスクを折り畳んで詰め込んだ箱を商品とするものである。これらの発明によれば、マスクを折り畳んで詰め込んだ箱は、たばこ箱の大きさの箱であるため、この箱をたばこ自動販売機によりそのまま販売することが可能となる。
【０００６】
ここで、マスクは広げた状態で密封包装されたものであることが望ましい。マスクは広げた状態で密封包装されたものとすることで、マスクの密封包装が容易であり、既存の密封装置を利用することが可能となる。
【０００７】
また、箱内には重量調整手段を有することが望ましい。重量調整手段によってたばこ自動販売機により販売するたばこと同程度の重量とすることで、たばこの販売と同じ状態を作り出し、自動販売機をスムーズに動作させることができる。
【０００８】
また、マスクは３つ折りにして箱に詰め込んだものであることが望ましい。マスクを３つ折りにすることで、たばこ箱の大きさに近い大きさとすることができ、たばこ箱の大きさの箱内への詰め込み作業を容易に行うことが可能となる。
【発明の効果】
【０００９】
（１）たばこ箱の大きさの箱であり、マスクを折り畳んで詰め込んだ箱を商品としたマスクの自動販売機によれば、余剰のたばこ自動販売機を、改造することなくそのまま利用してマスクを販売することが可能となり、余剰なたばこ自動販売機を有効活用することが可能となる。
【００１０】
（２）マスクが広げた状態で密封包装されたものであることにより、既存の密封装置を利用して低コストのマスクを提供することが可能となる。
【００１１】
（３）箱内に重量調整手段を有することで、たばこ自動販売機により販売するたばこと同程度の重量として、自動販売機をスムーズに動作させることができ、たばこ自動販売機を利用したマスクの自動販売機での商品詰まりを防止することが可能となる。
【００１２】
（４）マスクを３つ折りにすることで、たばこ箱の大きさに近い大きさとすることができ、たばこ箱の大きさの箱内への詰め込み作業を容易に行うことが可能となり、箱内への詰め込みコストを低減して、低コストのマスクを提供することが可能となる。
【図面の簡単な説明】
【００１３】
【図１】本発明の実施の形態におけるマスクの自動販売機により販売する商品の説明図である。
【発明を実施するための形態】
【００１４】
図１は本発明の実施の形態におけるマスクの自動販売機により販売する商品の説明図である。本実施形態におけるマスクの自動販売機は、従来の既存のたばこ自動販売機によりマスクを販売するものである。このマスクの自動販売機により販売する商品は、図１に示すように、たばこ箱の大きさの箱１内にマスク２を折り畳んで詰め込んだものである。
【００１５】
マスク２は、広げた状態で透明な袋３によって密封包装されている。袋３によって密封包装されたマスク２は、長手方向を３つ折りにして箱１に詰め込まれる。袋３は薄膜状の軟質プラスチックにより形成されている。なお、袋３が透明であることによって中身が見えるようになっているが、袋３は透明なものに限られない。袋３は紙製とすることも可能である。
【００１６】
また、箱１の底部には重量調整手段としての錘４が設けられている。錘４は箱１と一体となるように底部に固定されたものでもよく、固定せずに単に箱１内に挿入されたものでもよい。錘４の重量は、この錘４と箱１とマスク２と袋３との合計が従来のたばこ箱（中身のたばこも含む。）と同程度となるように調整されている。
【００１７】
上記構成によれば、マスク２を折り畳んで詰め込んだ箱１は、たばこ箱の大きさの箱であるため、この箱を従来のたばこ自動販売機によりそのまま販売することが可能である。そのため、余剰のたばこ自動販売機を、改造することなくそのまま利用してマスク２を販売することが可能であり、余剰なたばこ自動販売機を有効活用することができる。
【００１８】
特に、本実施形態においては、マスク２を、長手方向を３つ折りにして箱１に詰め込むことで、箱１の大きさを従来のたばこ箱の大きさのままとすることが可能となっており、たばこ自動販売機の改造は一切不要である。また、錘４によってたばこ自動販売機により販売するたばこと同程度の重量とすることで、たばこの販売と同じ状態を作り出しているので、自動販売機をスムーズに動作させることができ、商品詰まりが防止されている。
【００１９】
なお、本実施形態においては、マスク２は広げた状態で袋３に密封包装されているが、３つ折りにした状態で密封包装する構成とすることも可能である。また、１つの袋３内に複数のマスク２を密封包装した構成や、それぞれ１つのマスク２を密封包装した複数の袋３を１つの箱１内に詰め込んだ構成とすることも可能である。また、マスク２の折り数は３つに限られないが、３つ折りにすることで、たばこ箱の大きさに近い大きさとすることができ、たばこ箱の大きさの箱１内への詰め込み作業を容易に行うことができる。
【００２０】
また、マスク２は、広げた状態で密封包装するので、既存の密封装置を利用して容易にマスク２の密封包装を行うことが可能であり、低コストのマスクを提供できる。なお、マスク２を袋３に密封包装せずに箱１内に直接折り畳んで詰め込む構成とすることも可能である。
【産業上の利用可能性】
【００２１】
本発明は、鼻や口部分を衛生目的または防護目的で覆う衛生用マスクや作業用マスク等のマスクの自動販売機および販売方法として有用である。
【符号の説明】
【００２２】
１  箱
２  マスク
３  袋
４  錘
【図１】
2011215754.tif 000003